(57)【要約】【課題】仕切り部の損傷を低減し、発電性能の安定した運転が可能な燃料電池を提供する。【解決手段】複数の燃料電池セル２が配置される発電室と、発電室の上部の上部室と、発電室と上部室とを仕切る仕切り部１８，１９，２０，２１，２２とを備える燃料電池であって、仕切り部１８，１９，２０，２１，２２を複数備えることで、仕切り部１８，１９，２０，２１，２２の損傷を低減し、発電性能の安定した運転が可能な燃料電池を提供する。【選択図】図２
2010192124.tif 000002
【特許請求の範囲】
【請求項１】
複数の燃料電池セルが配置される発電室と、前記発電室の上部の上部室と、前記発電室と前記上部室とを仕切る仕切り部と、を備える燃料電池であって、前記仕切り部を複数備えることを特徴とする燃料電池。
【請求項２】
前記複数の仕切り部は同一高さに配置されていることを特徴とする請求項１記載の燃料電池。
【請求項３】
発電室を内部に形成する燃料電池容器の内縁に仕切り部を載置する第１の載置部が備わると共に、前記第１の載置部とは別にそれより内側に前記仕切り部を載置する第２の載置部を備えていることを特徴とする請求項１記載の燃料電池。
【発明の詳細な説明】
【技術分野】
【０００１】
本発明は例えば家庭で消費される電力を供給するために都市ガス等を利用して発電する燃料電池に関し、特に仕切り部により発電室と燃焼室等の上部室を仕切った燃料電池に関する。
【背景技術】
【０００２】
この種の燃料電池は、燃料電池容器の内部に、燃料電池セル集合体を配し、この燃料電池セル集合体側を発電室、この燃料電池セル集合体より上部の上部室を燃焼室としている。この燃料電池セル集合体は、異なった成分のセラミック材料を空気極、電解質及び燃料極として積層して作られた燃料電池セルの複数を電気的に接続して集合体としたものである。
【０００３】
燃料は燃料電池セル集合体の下方に位置する燃料分散室から供給されて各燃料電池セルの外表面である燃料極に接触する。一方、酸化剤としての空気は燃料電池セルの内部に挿入された導入管を通じて該燃料電池セルの底部に供給され燃料電池セルの内表面である空気極に接触する。
【０００４】
この構成により、燃料電池セルの外側では燃料が燃料極に接触しながら上方に移動し、燃料電池セルの内側では空気が空気極に接触しながら上方に移動するため、この両者の移動時に電解質を介して電気化学反応が起こり、発電が行なわれる。この発電の際に生成された水蒸気及び未反応燃料（排燃料）と未反応空気（排空気）は燃焼室に入って混合され、着火燃焼後排ガス配管から排出される。
【０００５】
従来、このような構成の燃料電池において、例えば、特許文献１には、発電室と燃焼室との間に１枚の通気機能を有する仕切り部を取り付けて、両室間を仕切った燃料電池が開示されている。この仕切り部としてはセラミックスの繊維物質が用いられており、この仕切り部と燃料電池セルの境界部分及び仕切り部と燃料電池容器の境界部分の排燃料と排空気の流れ具合を管理することは非常に重要であり、発電性能に大きく影響する。
【０００６】
また、特許文献２には、セラミックスからなる多孔質部材の表面を緻密質セラミックスで被覆したものを仕切り部として用いる燃料電池が開示されている。
【０００７】
一方、燃料電池の組立作業は常温下で行なわれるが、発電時には、作動温度が７００℃から１０００℃まで昇温する。この昇温過程において、仕切り部と燃料電池容器及び仕切り部と燃料電池セルとの線膨張係数の違いにより、仕切り部は燃料電池容器及び燃料電池セルから引っ張り力を受ける。
【先行技術文献】
【特許文献】
【０００８】
【特許文献１】特開２００４−１１９２９７号公報（段落００１５，００１６  図１）
【特許文献２】特許第３６８６７８１号公報（段落００２１〜００２３  図１）
【発明の概要】
【発明が解決しようとする課題】
【０００９】
上記の特許文献１，２に開示された燃料電池は、発電室と燃焼室との間に１枚の通気機能を有する仕切り部を取り付けているので、特に燃料電池セル数が少なく、燃料電池容器が小型で発電容量が小さい時には、仕切り部は燃料電池容器及び燃料電池セルの熱膨張による両者の相対位置関係の変動に追従することができて特に問題は生じない。
【００１０】
しかし、発生する電力が例えば１ＫＷを超える業務用燃料電池の場合、特に燃料電池セル数が増し、燃料電池容器が大型化して発電容量が大きくなる。この燃料電池の大型化による発電容量の増大化に伴い、燃料電池容器の熱膨張による変形に起因して、この容器と燃料電池セル間の相対位置関係の変動が大きくなる。その結果、仕切り部は、燃料電池容器及び燃料電池セルから引っ張り力を受け、自らの変形でこれを吸収することができなくなり、燃料電池容器に対する周辺取り付け部が剥離したり、または引き裂かれ破損する虞が生じる。
【００１１】
このように燃料電池容器の仕切り部の取り付け部近傍が破損すると、この破損箇所において発電室から燃焼室への通気抵抗が極端に低下し、燃料が発電室から燃焼室に流入して燃焼し、燃焼室における燃焼バランスが崩れる。また、燃料が発電室から燃焼室に均一に流出しなくなると共に、発電室内における燃料の分布にも偏りが生じ、発電性能が低下する。
【００１２】
また、仕切り部の破損箇所を通じて、燃焼室から排空気や排燃料が発電室に入り、発電室においても燃焼が生じる。この燃焼によって発電室の温度が局部的に上昇し、燃料極を剥離させたり、場合によっては燃料電池セル自体を損傷する虞が生じる。
【００１３】
本発明は、仕切り部の損傷を低減し、発電性能の安定した運転が可能な燃料電池を提供することを目的とする。
【課題を解決するための手段】
【００１４】
上述した課題を解決するために、本発明に係る燃料電池は、
複数の燃料電池セルが配置される発電室と、前記発電室の上部の上部室と、前記発電室と前記上部室とを仕切る仕切り部と、を備える燃料電池であって、前記仕切り部を複数備えたことを特徴としている。
【発明の効果】
【００１５】
本発明によると、仕切り部の損傷を低減し、発電性能の安定した運転が可能な燃料電池を提供することができる。
【図面の簡単な説明】
【００１６】
【図１】本発明の一実施形態に係る燃料電池を示す斜視図である。
【図２】図１のII−II線に沿った縦拡大断面図である。
【図３】仕切りベース構造体の平面図である。
【図４】図３に示した仕切りベース構造体の変形例を示す平面図である。
【発明を実施するための形態】
【００１７】
本発明を実施するための最良の形態を説明するのに先立って、本発明の作用と効果について説明する。
【００１８】
本発明に係る燃料電池は、複数の燃料電池セルが配置される発電室と、前記発電室の上部の上部室と、前記発電室と前記上部室とを仕切る仕切り部と、を備える燃料電池であって、前記仕切り部を複数備えている。
【００１９】
本発明に係る燃料電池によれば、大型化した燃料電池であって燃料電池セルを複数設けた燃料電池に備わる仕切り部に生じる問題を全て解決することができる。具体的には以下の通りとなる。
【００２０】
本発明によると、発電室と該発電室の上部の上部室とを仕切る仕切り部を別個独立して複数備えたので、燃料電池容器の熱膨張による変形で燃料電池容器と燃料電池セル間に生じる相対位置の変動に基づいて仕切り部に作用する引っ張り力が複数の仕切り部にそれぞれ分散して局所的に大きくならずに済む。即ち、燃料電池が大型化しても各仕切り部に作用する引っ張り力、特に仕切り部周囲の燃料電池容器開口内縁との接続部に発生する引っ張り力を小さいままとすることができ、この仕切り部の損傷を抑制することができる。
【００２１】
この結果、仕切り部の損傷による発電室から燃焼室への燃料の想定外の流れ込みを防止することができるので、発電室内の燃料偏りを小さくでき燃焼室の燃焼状態の分布を均一にすることができ、常に安定した発電性能を確保する。また、発電室への排燃料や排空気の流れ込みも抑制されることになり、発電室で燃焼が生じることもなく、燃料電池セルに悪影響を及ぼすこともない。このため、燃焼室においては燃焼バランスが乱れることがなく、発電室内では燃料が均一に分散されるため、全体として発電効率が向上する。
【００２２】
特に発生する電力が例えば１ＫＷを超える業務用燃料電池の場合に、従来の燃料電池と異なり、燃料電池容器に対する仕切り部の周辺取付け部が剥離したり引き裂かれたりするのを抑制することができる。
【００２３】
また、本発明に係る燃料電池は、好ましくは複数の仕切り部が同一高さに配置されているのが良い。
【００２４】
このように、複数の仕切り部を同一高さに配置することにより、仕切り部の組み付けが容易になると共に、各仕切り部間に発電室から燃焼室に移動する未反応の燃料や空気の流れを不必要に乱す段差を生じさせることがなく、その結果、排空気及び排燃料の燃焼室への流入が均一かつ円滑に行なわれる。
【００２５】
また、燃料電池容器の熱膨張によって各仕切り部に作用する引っ張り力は局所的に大きくならず各仕切り部に均等に作用するので、仕切り部の破損がより抑制されて燃料電池容器の熱膨張によるこの容器の仕切り部の固定部と燃料電池セルによる仕切り部の拘束部との相対位置が変化しても各仕切り部が従来のような大きな引っ張り力を受けて破損することがなく、燃料電池容器と燃料電池セル間の燃料と空気のバランスを保つことができる。
【００２６】
また、本発明に係る燃料電池は、好ましくは発電室を内部に形成する燃料電池容器の内縁に仕切り部を載置する第１の載置部が備わると共に、第１の載置部とは別にそれより内側に仕切り部を載置する第２の載置部が備えているのが良い。
【００２７】
このように、仕切り部を第１、第２の載置部に載置することにより、燃料電池容器に対する仕切り部の取付けが強固となり、燃料電池容器の熱膨張によるこの容器の仕切り部の固定部と燃料電池セルによる仕切り部の拘束部との相対位置の変化によって仕切り部が引っ張り力を受けても破損することがなく、燃料電池容器と燃料電池セル間の燃料と空気のバランスを保つことができる。
【００２８】
以下、本発明の一実施形態に係る燃料電池について図面に基づき説明する。図１は本発明の一実施形態に係る燃料電池を示す斜視図である。特に図１は発電部を示し、この発電部の上部には例えば燃焼室としての上部室が形成されているが、図１では図示を省略している。
【００２９】
本発明の一実施形態に係る燃料電池１は、同図に示すように、複数の燃料電池セル２を電気的かつ構造的に接続したセルユニット（セル集合体）１０と、セルユニット１０が収容配置されセルユニット挿入開口を有した燃料電池容器５０とを備え、セルユニット１０によって発電した電気を燃料電池容器５０の外部に取り出す陽極側電気取り出し部７１及び陰極側電気取り出し部７２とを備えている。
【００３０】
以下、これらの各構成要素について詳細に説明する。図１に示す燃料電池容器５０は、フェライト系ステンレス鋼でできた４枚の側板と、同じくフェライト系ステンレス鋼でできた１枚の底板の各縁部を溶接接合して作られており、上部がセルユニット挿入開口５１として開口した箱体形状を有している。なお、各側板に形成されたリブ５２は燃料電池作動時に発生する熱応力により燃料電池容器５０の変形を防ぐ役目を果たしている。
【００３１】
図１における手前側の側板上部より下方にロッド挿通部６１，６２が所定間隔隔で平行に突出形成されており、このロッド挿通部６１，６２に陽極側電気取り出し部７１と陰極側電気取り出し部７２を挿通収容している。
【００３２】
４枚の側板の周囲は、図１において一部を示すシリカ系の断熱材４０で覆われている。燃料電池容器５０のセルユニット下端部と底板との間には、ここでは詳細には示さないが、燃料を充填させる燃料分散室が形成され、燃料が供給されるようになっている。なお、この燃料は、都市ガス等を改質して得られる水素リッチの改質ガスである。
【００３３】
燃料分散室の上面には、図示しない分散板が載せられている。分散板には、燃料電池容器５０に挿入収容されるセルユニット１０の隣接する燃料電池セル間の隙間に対応する位置に大きめの燃料供給穴が形成されていると共に、それ以外の部分に小さめの燃料供給穴が形成されている。そして、これらの燃料供給穴を介してセルユニット１０の隣接する燃料電池セル同士の隙間に燃料を効率良く供給するようになっている。
【００３４】
また、一つのセルユニット１０には細長い燃料電池セル２が３本×６本の合計１８本、端面視マトリックス状に配置され、フレームで保持されることで各燃料電池セル同士が電気的に接続されると共に、構造的に１つのセルユニット１０を構成している。
【００３５】
なお、これらの燃料電池セル２は互いに電気的に直列接続され、一方の極がセルユニット１０の所定箇所から一方のユニット集電板上の接続板に電気的に接続され、他方の極がセルユニット１０の所定箇所から他方のユニット集電板上の接続板に電気的に接続されるようになっている。
【００３６】
フレームは、ここでは詳細には図示しないが、各燃料電池セルの両端を端面視マトリックス状に束ねて固定する保持板と、保持板の上下長手方向に延在する部分の外側に備わったユニット集電板を有している。ユニット集電板は、保持板の燃料電池セル長手方向に延在する部分の外側であって保持板との間に絶縁材を介在させた状態で配置されているので、電気的に直列接続された燃料電池セル２の両端部は、接続板を介してユニット集電板に電気的に接続されている。ユニット集電板と保持板は絶縁材を介してこれらと電気的に接続された状態になっている。なお、導電部材からなる接続板は、ユニット集電板の幅方向一方の端部において長手方向に延在形成され、接続板を介して各セルユニット１０同士を電気的に直列に接続するようになっている。
【００３７】
上記セルユニット１０を構成する個々の燃料電池セル２は、支持体を兼ねた細長い有底円筒体形状の空気極と、空気極の表面を覆う電解質と、電解質の表面を覆う燃料極とから構成されている。空気極は、ランタン（Ｌａ）とマンガン（Ｍｎ）の酸化物にストロンチウム（Ｓｒ）を含有した材質でできており、押出成形で作られている。また、空気極は、支持体を兼ねるために厚さ約２ｍｍ程度の細長い有底円筒体形状をなし、その下端部が徐々に縮径し、端面略Ｕ字状をなす底部が備わっている。
【００３８】
なお、空気極の上端開口部からは空気極の外径よりもかなり小さい外径を有する空気供給パイプが空気極の底部近傍まで挿通されるようになっている。これによって、空気極の内部に空気（酸素）を十分供給することができる。
【００３９】
電解質は、スカンジア安定化ジルコニア（ＳｃＳＺ）でできており、空気極の外側面をディッピングする（浸漬する）ことで形成されている。
【００４０】
燃料極は、金属のニッケル（Ｎｉ）にイットリア安定化ジルコニア（ＹＳＺ）を混ぜてできており、電解質の形成後にテープ状の燃料極素材を巻き付けて焼成することで形成されている。
【００４１】
また、燃料電池セル２の長手方向ほぼ中央部には、インターコネクタ（図示せず）が突出形成されている。インターコネクタは、ランタン（Ｌａ）とクロム（Ｃｒ）の酸化物にカルシウム（Ｃａ）を混ぜた材質でできており、空気極と導通し電解質及び燃料極とは非導通の状態でセル周方向外側に突出形成され、その先端面が隣接する燃料電池セル２の燃料極にニッケルフォームを介して電気的に接続されるようになっている。これによって、セルユニット内の全ての燃料電池セル２を電気的に直列接続し、個々の燃料電池セル２の発電量を合計した発電量がセルユニット単体の発電量となるようにしている。
【００４２】
本実施形態では、３つのセルユニット１０を並列に並べて１つのセルブロック１００とし、このセルブロック１００を合計４つ、セルユニット挿入開口５１から燃料電池容器５０内に挿入収容している。ここで、各セルユニット１０同士は上述した隣接するセルユニット１０のユニット集電板同士を幅が狭く細長の金属導体からなるユニット接続板で電気的に接続することで、セルユニット同士が電気的に直列接続されている。
【００４３】
なお、４つのセルブロック同士も上述のユニット接続板（図示せず）よりも幅広でユニット接続板と同等の長さを有する金属導体からなる図示しないブロック接続板で電気的に接続することで、セルブロック同士が電気的に直列接続されている。
【００４４】
図２は図１の矢線II-II、即ちセルユニット１０を構成する燃料電池セル２を６本並設した方向に沿った縦断拡大図である。なお、発明の理解を容易にするために、図２では構成を簡略化して１つのセルユニットに燃料電池セルを３本並設した構成を示す。発電室を構成するフレーム６０の内部中間部には断熱材５５が配置され、この断熱材５５によって図２中燃料電池容器５０内が２つの発電領域５０Ａ、５０Ｂに区分けされている。
【００４５】
そして、フレーム６０の内面には仕切りベース支柱１５が設けられており、この仕切りベース支柱１５の上端面には、燃料電池セルユニット挿入開口５１（図１参照）を複数に区分けする仕切りベース構造体１６が設けられている。そして、仕切りベース構造体１６で区分けされた複数の開口をそれぞれ塞ぐように、仕切りベース構造体１６の上面に別個独立した金属製の天板１７、その上面に燃料電池セル２の上端部を挿入する穴を有しセラミック繊維製の燃料電池セル側面仕切り部１８，１９，２０が該穴に燃料電池セル２の上端部を挿入させて配置されている。
【００４６】
そして、最上位の燃料電池セル側面仕切り部２０の上面にセラミック繊維製のセル開口端面仕切り部２１，２２が配置され、その上位の燃料電池セル開口端面仕切り部２２の上面に繊維材飛散防止板としての金属製の天板２３が配置されている。天板２３の上面周縁部には天板補強部材８０の下端外向き鍔部８０ａが配置されている。
【００４７】
一方、発電室を構成するフレーム６０の上端外向き鍔部６０ａの上面には、セラミック繊維製のガスケット２４と金属製のガスケット２５が積層され、このガスケット２５と天板補強部材８０の下端外向き鍔部８０ａの上面を覆うようにセラミック繊維製の十字ガスケット２６が配置され、その十字ガスケット２６の上面に金属製の十字ガスケット２７が配置されている。そして、セラミック繊維製のガスケット２８を介して燃焼室を形成するフレーム８０の下端外向き鍔部８０ａを配置して、発電室を構成するフレーム６０の上端外向き鍔部６０ａとで上述のように積層された各ガスケットを押圧して、発電室と燃焼室との間の気密性（シール性）を保っている。
【００４８】
セル開口端面仕切り部２１，２２及び天板２３には、燃料電池セル２の中心に空気導入管３を挿入する穴１１０が連通して形成されており、この穴径は空気導入管３より大きく、その隙間が排空気の排出穴となる。また、燃料電池セル２の間の空間と燃焼室とを連通するように、燃料電池セル側面仕切り部１８，１９，２０、燃料電池セル開口端面仕切り部２１，２２及び天板２３に連通して排燃料排出穴１２０が形成されている。
【００４９】
図３は、仕切りベース構造体１６の一例を示す平面図である。仕切りベース構造体１６は、セルユニット挿入開口５１（図１参照）の開口端面に取り付ける矩形枠体１６ａと、矩形枠体１６ａの各辺同士を連結する十字状連結体１６ｂよりなり、この仕切りベース構造体１６によりセルユニット挿入開口５１を４つのエリアからなる仕切り部ａ〜ｄに区分けする。
【００５０】
このように４つに区分けされたセルユニット挿入開口５１を覆うように、セル側面仕切り部１８，１９，２０、セル開口端面仕切り部２１，２２及び天板２３からなる仕切り部を、矩形枠体１６ａと十字状連結体１６ｂよりなる仕切りベース構造体１６にそれぞれ別個独立に組み付ける。
【００５１】
本発明の実施の形態によれば、セルユニット挿入開口５１を仕切りベース構造体１６で複数に区分けし、その区分けした開口を覆うように別個独立した仕切り部ａ〜ｄを設けるようにしたので、燃料電池容器の熱膨張によって燃料電池容器５０の開口内縁と燃料電池セル２との相対的位置が変わることで仕切り部ａ〜ｄに生じる引っ張り力は、複数の仕切り部ａ〜ｄにそれぞれ分散して小分けされて作用することになる。即ち、各仕切り部ａ〜ｄに作用する引っ張り力は小さくなり、仕切り部の損傷を抑制することができる。
【００５２】
この結果、仕切り部の損傷による燃焼室への燃料の想定外の流れ込みを抑制することができ、この燃料の想定外の流れ込みに伴う発電室内の燃料分布の不均一化による発電性能の低下を回避することができる。また、発電室から燃料室に排出される排空気や燃料室内で燃焼される排燃料が再び発電室に流れ込むのを抑制することができ、発電室内において排空気と排燃料が反応することによる燃焼が生じることなく、燃料電池セルに悪影響を及ぼすこともない。
【００５３】
また、本発明に係る燃料電池は、複数の仕切り部ａ〜ｄは同一高さに配置されている。このように、複数の仕切り部を同一高さに配置することにより、仕切り部の組み付けが容易になると共に、仕切り部間にこの連結部の構造を単に複雑にさせるだけの段差を生じさせることなく、空気及び燃料の移動を円滑に行なわせて燃料電池の運転を効率良く行なうことができるようになる。また、燃料電池容器の熱膨張に起因して燃料電池容器と燃料電池セルとの相対的位置が変わることによって仕切り部に生じる引っ張り力は、各仕切り部に均等に作用し、仕切り部の破損がより抑制され、燃料電池容器から燃料室に排燃料と排空気を規定の量だけ排出することができる。
【００５４】
また、本発明に係る燃料電池は、発電室を内部に形成する燃料電池容器の内縁に仕切り部を載置する第１の載置部が備わると共に、第１の載置部とは別にそれより内側に仕切り部を載置する第２の載置部が備えている。
【００５５】
このように、仕切り部を第１、第２の載置部に載置するようにすることで、燃料電池容器のほぼ中央部におけるそれぞれの仕切り部の高さ維持を確実に行うことが出来、燃料電池容器に対する仕切り部の取り付けが強固となる。また、仕切り部は、複数の仕切り部からなるので、燃料電池容器の熱膨張による燃料電池容器と燃料電池セル間の相対的位置の変化に伴って仕切り部が引っ張り力を受けても破損することがなく、発電室から燃焼室への燃料の想定外の局所的な流入による発電室の燃料分布の不均一化に起因する発電性能の低下を抑えることができると共に、燃焼室から発電室への排燃料や排空気の想定外の流入による発電室内の排燃料の燃焼に伴う燃料電池セルの破損を防止し、燃料電池の長期にわたって効率的に発電させることができる。
【００５６】
なお、図示例は仕切りベース構造体１６の矩形枠体１６ａを第１の載置部とし、この矩形枠体１６ａの各片同士を連結する十字状連結体１６ｂを第２の載置部とした構成であるが、この第２の載置部は矩形枠体１６ａの対向片同士を連結する直線状の連結体でも良い。即ち、仕切りベース構造体の連結体が、図３において縦方向か横方向の何れか一方向に１本若しくは所定間隔隔てて複数本設けられていても良い。
【００５７】
また、図４に示すように、第２の載置部は矩形枠体１６ａの中心、即ち、図３における十字状連結体１６ｂの交点に位置して燃料電池容器に設けた柱体５９でも良い。この場合、柱体５９は燃料電池容器５０の底部から上方に延在する形態をなし、この柱体５９の上端面の仕切りベース載置部が矩形枠体１６ａの第１の載置部と同一高さに位置するようにするのが好ましい。
【符号の説明】
【００５８】
１    燃料電池
２    燃料電池セル
３    空気導入管
１０    セルユニット（セル集合体）
１５    仕切りベース支柱
１６    仕切りベース構造体
１６ａ    矩形枠体
１６ｂ    十字状連結体
１７    天板
１８，１９，２０    （燃料電池）セル側面仕切り部
２１，２２    （燃料電池）セル開口端面仕切り部
２３    天板
２４    ガスケット
２５    ガスケット
２６    十字ガスケット
２７    十字ガスケット
２８    ガスケット
４０    断熱材
５０    燃料電池容器
５０Ａ，５０Ｂ    左右２室
５１    （燃料電池）セルユニット挿入開口
５２    リブ
５５    断熱材
５９    柱体
６０    （発電室を構成する）フレーム
６０ａ    上端外向き鍔部
６１，６２    ロッド挿入部
７１    陽極側電気取り出し部
７２    陰極側電気取り出し部
８０    天板補強部材
８０ａ    下端外向き鍔部
９０    （燃焼室を構成する）フレーム
１００    セルブロック
１１０    穴
１２０    排燃料排出穴
ａ〜ｄ    仕切り部
【図１】
2010192124.tif 000003
【図２】
2010192124.tif 000004
【図３】
2010192124.tif 000005
【図４】
2010192124.tif 000006